(57)【要約】【課題】下地ボックスの屋根下地側への一体性を向上させる下地ボックス固定材を提供する。【解決手段】板状の固定部材２と、該固定部材２の一端より連続形成された立上げ部材３とを有し、該立上げ部材３の固定部材２側の外側面４を、棟部に設置する下地ボックス５における側壁部位６、6aの内側面に密着可能にした下地ボックス固定材１を、葺設状態における最上段の桟瓦Ａの上方に配置、固定し、両側の最上段の桟瓦Ａに跨がる様に配置した下地ボックス５を、側壁部位６、6aの内側面に、前記下地ボックス用固定材１における立上げ部材３の外側面４を密着させて載置することにより、設置状態における下地ボックス５の下端部を保持して、該下地ボックス５と屋根下地Ｗ側とを一体化させる。【選択図】図５
2014084652.tif 000002
【特許請求の範囲】
【請求項１】
葺設状態における最上段の桟瓦の上に載置される板状の固定部材と、該固定部材の一端より連続形成された立上げ部材とを有し、該立上げ部材の前記固定部材側の外側面を、棟部に設置する下地ボックスにおける側壁部位の内側面に密着可能にしたことを特徴とする下地ボックス固定材。
【請求項２】
前記立上げ部材の外側面を、中央より上下側へ徐々に薄厚となる様に凸曲面としたことを特徴とする請求項１記載の下地ボックス固定材。
【請求項３】
前記固定部材に対し前記立上げ部材を傾倒可能としたことを特徴とする請求項１又は２記載の下地ボックス固定材。
【請求項４】
最上段の桟瓦の上方に配置、固定された請求項１乃至３のいずれか１項に記載の下地ボックス用固定材と、両側の最上段の桟瓦に跨がる様に配置され、且つ側壁部位の内側面を前記下地ボックス用固定材における立上げ部材の外側面に密着させた下地ボックスと、該下地ボックスにおける側壁部位の外側面に固定された棒熨斗瓦と、最上段の両側の棒熨斗瓦に跨がる様に被冠固定された冠瓦と、１段目の棒熨斗瓦と最上段の桟瓦との間に設置された面戸板とで構成されていることを特徴とする棟構造。
【請求項５】
前記側壁部位の外側面における棒熨斗瓦の固定位置の直下に複数本の突条を上下方向に所定間隔毎に配列形成したことを特徴とする請求項４記載の棟構造。
【請求項６】
前記棒熨斗瓦にける前記突条の対応位置に係止段部を形成したことを特徴とする請求項５記載の棟構造。
【請求項７】
前記下地ボックスを、一方の側壁部位を有する熨斗瓦固定材と、他方の側壁部位を有する熨斗瓦固定材とを、屋根下地における棟金具上に架設された棟木に固定することで形成されていることを特徴とする請求項４、５又は６記載の棟構造。
【発明の詳細な説明】
【技術分野】
【０００１】
本発明は、外観上、大棟、降棟、隅棟等の棟部に熨斗瓦が多数段積み重ねられた状態にすることを可能にした下地ボックスの棟部への固定材及び該下地ボックス固定材を使用した棟構造に関する。
【背景技術】
【０００２】
従来、神社、仏閣及びこれに類する建築物における大棟、降棟、隅棟等の棟部の構造としては、台風や地震の水平力に抵抗させるために棟木から棟束を立設し、下方から台熨斗瓦、熨斗瓦を順次葺土を介在させながら銅線で緊結させて積み重ねた構造と成っている。
しかし、上記棟構造にあっては、高度な熟練技術が要求され、而も熨斗瓦間に葺土を介在させているため、棟部が重く建築物への負担が大きくなって、特に耐震性に劣ると共に、長期間の風雨等によって葺土が崩れ易く、棟部が経時劣化し易い欠点を有している。
【０００３】
そこで、本願出願人は、横長中空箱状に形成すると共に、両側面を外方且つ下方へ傾斜させ、該両側面に、長さ方向全体にわたる複数本の突条を形成して下地ボックスとし、該下地ボックスの両側面の縦横方向に、のし面を備える棒熨斗瓦を配列すると共に、釘、ビス等の固定具により固定し、下地ボックスの上部に熨斗瓦を葺設固定すると共に、該熨斗瓦上に跨がる様に冠瓦を被冠した簡易棟を大棟、降棟、隅棟等の棟部に設置することで、葺土を使用せずに外観を従来の棟部と同様に仕上げることを可能にすることによって、棟部の軽量化を図ると共に、経時劣化を防止出来、而も乾式工法になることによって、作業の容易化を図る様にした簡易棟用下地ボックスを開発した（例えば、特許文献１参照）。
【先行技術文献】
【特許文献】
【０００４】
【特許文献１】特開２００３−２１３８４３号公報
【発明の概要】
【発明が解決しようとする課題】
【０００５】
しかし、上記従来技術における棒熨斗瓦を固定する下地ボックスにあっては、下部の凹部内に、屋根下地に固定した取付金具の先端を嵌入することで固定されているだけであり、尚且つ最上段の桟瓦の上に跨がる様に載置されているだけであるが、桁方向に配列された桟瓦は各個自の歪みの違いや屋根下地側の不陸等により、葺設状態における桟山頂点の高さが異なることから、桟瓦の桟山と下地ボックスの下面両側端との間に隙間が確実に発生するため、地震時に屋根下地側に対し簡易棟が単独で揺れてしまう可能性を否定出来ず、屋根下地側との一体性に問題があった。
【課題を解決するための手段】
【０００６】
本発明は、上記従来技術に基づく、下地ボックスの屋根下地側への一体性に劣る課題に鑑み、葺設状態における最上段の桟瓦の上に載置される板状の固定部材と、該固定部材の一端より連続形成された立上げ部材とを有し、該立上げ部材の前記固定部材側の外側面を、棟部に設置する下地ボックスにおける側壁部位の内側面に密着可能にした下地ボックス固定材を、最上段の桟瓦の上方に配置、固定し、両側の最上段の桟瓦に跨がる様に配置した下地ボックスを、側壁部位の内側面に、前記下地ボックス用固定材における立上げ部材の外側面を密着させて載置することによって、設置状態における下地ボックスの下端部を保持し屋根下地側と一体化させる様にして、上記課題を解決する。
【発明の効果】
【０００７】
要するに本発明は、葺設状態における最上段の桟瓦の上に載置される板状の固定部材と、該固定部材の一端より連続形成された立上げ部材とを有し、該立上げ部材の前記固定部材側の外側面を、棟部に設置する下地ボックスにおける側壁部位の内側面に密着可能にしたので、かかる下地ボックス用固定材を最上段の桟瓦の上の所定位置に載置、固定すれば、この下地ボックス用固定材における立上げ部材の外側面が棟部に設置された下地ボックスにおける側壁部位の内側面に密着して、設置状態における下地ボックスの下端部を保持することが出来ることから、地震時に完成した棟部が屋根下地側に対し単独で揺れないため、耐震性の向上を図ることが出来る。
而も、前記立上げ部材の外側面を、中央より上下側へ徐々に薄厚となる様に凸曲面としたので、屋根勾配に拘らず、設置された下地ボックスにおける側壁部位の内側面に、下地ボックス用固定材における立上げ部材の外側面を確実に密着させることが出来る。
更に、前記固定部材に対し前記立上げ部材を傾倒可能としたので、
下地ボックス用固定材の設置位置が若干ずれていたとしても、下地ボックスを設置する際に、該下地ボックスにおける側壁部位の内側面に、下地ボックス用固定材における立上げ部材の外側面が接触状態のまま立上げ部材が傾倒し、設置後には傾倒した立上げ部材により側壁部位の下端部が外方に押圧状態となるため、該側壁部位の下端部が保持機能が失われず、屋根下地側への下地ボックスが一体性を確保することが出来る。
【０００８】
最上段の桟瓦の上方に配置、固定された請求項１乃至３のいずれか１項に記載の下地ボックス用固定材と、両側の最上段の桟瓦に跨がる様に配置され、且つ側壁部位の内側面を前記下地ボックス用固定材における立上げ部材の外側面に密着させた下地ボックスと、該下地ボックスにおける側壁部位の外側面に固定された棒熨斗瓦と、最上段の両側の棒熨斗瓦に跨がる様に被冠固定された冠瓦と、１段目の棒熨斗瓦と最上段の桟瓦との間に設置された面戸板とで構成されているので、従来技術と同様に、葺土を使用せずに外観を従来の棟部と同様に仕上げることを可能にすることによる、棟部の軽量化、経時劣化の防止、及び乾式工法化による作業容易性の向上などの効果を奏する他、屋根下地側との一体性に優れた熨斗積み棟部とするのが出来る。
【０００９】
前記側壁部位の外側面における棒熨斗瓦の固定位置の直下に複数本の突条を上下方向に所定間隔毎に配列形成しているので、棒熨斗瓦の固定作業時の位置決めを確実且つ簡易化することが出来るため、棒熨斗瓦の固定作業を容易化することが出来、而も前記棒熨斗瓦にける前記突条の対応位置に係止段部を形成しているので、かかる係止段部を突条の角部に係合させることで、棒熨斗瓦の設置時の姿勢を確保し易いため、棒熨斗瓦の固定作業を更に容易化することが出来る。
【００１０】
前記下地ボックスが跨がる２つの屋根面では状況が異なることから、一体型の下地ボックスでは対処し難いケースも有り得るが、前記下地ボックスを、一方の側壁部位を有する熨斗瓦固定材と、他方の側壁部位を有する熨斗瓦固定材とを、屋根下地における棟金具上に架設された棟木に固定することで形成されているので、屋根面の片方ずつに分けて作業することが出来るため、状況に応じた作業を行い易くすることが出来る。
而も、特許文献１の下地ボックスは中空且つ長尺な箱であるため、保管時及び運搬時に積み重ねることが出来ないが、一対の熨斗瓦固定材に分割可能にすれば、該一対の熨斗瓦固定材は同形同大で複数枚を重ねて一纏めにすることが出来るため、保管時及び運搬時に嵩張らず、取扱性を向上させることが出来る等その実用的効果甚だ大である。
【図面の簡単な説明】
【００１１】
【図１】本発明に係る下地ボックス用固定材１の斜視図である。
【図２】熨斗瓦固定材（３段用）の斜視図である。
【図３】熨斗瓦固定材（５段用）の斜視図である。
【図４（ａ）】台熨斗として使用する棒熨斗瓦の斜視図である。
【図４（ｂ）】割り熨斗として使用する棒熨斗瓦の斜視図である。
【図４（ｃ）】天熨斗として使用する棒熨斗瓦の斜視図である。
【図５】図２の熨斗瓦固定材を使用した棟構造の断面図である。
【図６】図３の熨斗瓦固定材を使用した棟構造の断面図である。
【図７（ａ）】図１の熨斗瓦固定材を複数枚重ねた状態を示す側面図である。
【図７（ｂ）】図２の熨斗瓦固定材を複数枚重ねた状態を示す側面図である。
【発明を実施するための形態】
【００１２】
本発明に係る下地ボックス用固定材１は、例えば発泡ポリスチレンの様なプラスチック製のもので、図１、５、６に示す様に、葺設状態における最上段の桟瓦Ａの上に載置される板状の固定部材２と、該固定部材２の一端より連続形成された立上げ部材３とを有し、該立上げ部材３の固定部材２側の外側面４を、下地ボックス５における側壁部位６、6aの内側面に密着可能にし、固定部材２に対し立上げ部材３が傾倒する様に弾性変形可能としている。
尚、立上げ部材３は、中央より上下側へ徐々に薄厚となる様に、外側面４を凸曲面とするのが好ましく、この構成を採用することにより、外側面４が屋根勾配に拘らず、側壁部位６、6aの内側面に確実に密着可能になる。
【００１３】
下地ボックス５は、下地ボックス用固定材１と同じく、釘、ビス等が貫通可能な、例えば発泡ポリスチレンの様なプラスチック製にして、図５、６に示す様に、両側の最上段の桟瓦Ａ、Ａに跨がる様に配置される断面略門型状に形成されたもので、両側に板状の側壁部位６、6aを有し、該側壁部位６、6aの外側面に棒熨斗瓦７、7a…を固定可能にしている。
【００１４】
棒熨斗瓦７、7a…は、図４（ａ）〜（ｃ）に示す様に、断面形状が箱熨斗瓦の側部と略同一になる様に、上面８を外方への緩やかな傾斜曲面状若しくは傾斜平面状に形成すると共に、外端におけるのし面９を、上面８の外縁部より内方への傾斜平面状に連続形成している。
又、内端上部に固定突部10を上方突設すると共に、該固定突部10に２個の釘穴11、11a を形成し、下地ボックス用固定材１との当接面12を平面状に形成している。
【００１５】
次に、本発明に係る棟構造にあっては、図５、６に示す様に、基本的には、最上段の桟瓦Ａの上方に配置、固定された下地ボックス用固定材１、１と、両側の最上段の桟瓦Ａ、Ａに跨がる様に配置され、且つ側壁部位６、6aの内側面を下地ボックス用固定材１、１における立上げ部材３の外側面４に密着させた下地ボックス５と、該下地ボックス５の外側面に固定された棒熨斗瓦７、7a…と、最上段の両側の棒熨斗瓦７、7a…に跨がる様に被冠固定された冠瓦13と、１段目の棒熨斗瓦７、7a…と最上段の桟瓦Ａとの間に設置された面戸板14とを有している。
【００１６】
下地ボックス用固定材１は、固定部材２を貫通させた釘、ビス等の固定具15を桟瓦Ａを貫通させ屋根下地Ｗに打ち込んで、屋根下地Ｗに対し固定されている。
【００１７】
棒熨斗瓦７、7a…は、下地ボックス５の外側面に当接面12を当接させ、固定突部10の釘穴11、11a を貫通させた釘、ビス等の固定具16を下地ボックス５に打ち込んで、該下地ボックス５に対し固定されている。
【００１８】
冠瓦13は、貫通させた釘、ビス等の固定具17を下地ボックス５に打ち込んで固定されている。
【００１９】
面戸板14は、下地ボックス用固定材１における固定部材２の先端に掛止固定され、面戸板14の下端と桟瓦Ａとの隙間にコーキング材18が詰め込まれている。
【００２０】
尚、側壁部位６、6aの外側面における棒熨斗瓦７、7a…の固定位置の直下に複数本の突条19、19a …を上下方向に所定間隔毎に配列形成し、各突条19、19a …は側壁部位６、6aの長さ方向全体にわたる様に形成され、該当する棒熨斗瓦７、7a…の当接面12の下端縁部に、突条19、19a …への係止段部20を設けている。
そして、棒熨斗瓦７、7a…の当接面12を側壁部位６、6aの外側面に当接させ、且つ棒熨斗瓦７、7a…の下方角部を突条19、19a …の上面に当てがい、具体的には係止段部20を突条19、19a …の角部に係合し、固定突部10の釘穴11、11a を貫通させた釘、ビス等の固定具26を側壁部位６、6aに打ち込んで、該下地ボックス５に対し棒熨斗瓦７、7a…が固定されている。
【００２１】
又、下地ボックス５は、一方の側壁部位６を有する熨斗瓦固定材21と、他方の側壁部位6aを有する熨斗瓦固定材21a とを、屋根下地Ｗにおける棟金具22上に架設された棟木23に固定することで形成され、側壁部位６、6aの上端より内方へ水平突出させた固定部位24、24a に釘穴25、25a を形成しており、この熨斗瓦固定材21、21a によれば、図７（ａ）、（ｂ）に示す様に、複数枚を積み重ねることが可能になる。
そして、熨斗瓦固定材21、21a の固定部位24、24a を棟木23の上面に当接し、釘穴25、25a を貫通した釘、ビス等の固定具26を棟木23に打ち込んで、該棟木23に熨斗瓦固定材21、21a を固定し、且つ両側の熨斗瓦固定材21、21a が棟木23を介して一体化され下地ボックス５が形成されている。
この場合、冠瓦13の固定具17は、熨斗瓦固定材21、21a における固定部位24、24a を貫通して棟木23に打ち込まれている。
【００２２】
又、図２の熨斗瓦固定材21、21a は３段用、図３の熨斗瓦固定材21、21a は５段用で、基本構成は同じであるが、後者の方が側壁部位６、6aが丈高で、突条19、19a …の本数が多く成っている（前者が２本であるのに対し、後者は４本）。
つまり、下地ボックス５は、図２、３の様な３段又は５段用のものに限らず、熨斗積みの段数により、側壁部位６、6aの丈寸法及び突条19、19a …の本数が異なる複数種類のものが必要になる。
【００２３】
又、側壁部位６、6aは１段の段付き板状に形成し、具体的には固定部位24、24a の外端より下方へ連続一体形成された上方部分27、27a と、該上方部分27、27a の下端より外方且つ下方へ緩やかに傾斜する中間部分28、28a と、該中間部分28、28a の先端より外方且つ下方へ急に傾斜する下方部分29、29a とを有した構成にするのが好ましく、上方部分27、27a に最上段の棒熨斗瓦７、7a…を、下方部分29、29a にそれ以外の棒熨斗瓦７、7a…を固定可能にしている。
そして、熨斗瓦固定材21、21a の固定部位24、24a が棟木23の上面に、側壁部位６、6aの上方部分27、27a を棟木23の側面に当接し、固定部位24、24a における釘穴27、27a を貫通した釘、ビス等の固定具26を棟木23に打ち込んで、該棟木23に熨斗瓦固定材21、21a を固定し、且つ両側の熨斗瓦固定材21、21a が棟木23を介して一体化しされている。
【００２４】
この場合、上方部分27、27a には、図４（ｃ）に示す、最も幅が広い所謂「天熨斗」としての棒熨斗瓦７、7a…を使用し、下方部分29、29a には、図４（ｂ）に示す、最も幅が狭い所謂「割り熨斗」としての棒熨斗瓦７、7a…と、図４（ａ）に示す、「割り熨斗」より幅広く「天熨斗」より幅狭い所謂「台熨斗」としての棒熨斗瓦７、7a…を使用する。
そして、「天熨斗」である棒熨斗瓦７、7a…における固定具16は、熨斗瓦固定材21、21a を貫通して棟木23に打ち込まれることで、熨斗瓦固定材21、21a の棟木23への固定手段としての機能をも有している。
【００２５】
又、突条19、19a …は、側壁部位６、6aにおける下方部分29、29a に形成され、「割り熨斗」及び「台熨斗」としての棒熨斗瓦７、7a…に係止段部20を設けている。
そして、「天熨斗」である棒熨斗瓦７、7a…は、当接面12を上方部分27、27a の外側面に当接させ、下方角部を段差部位３における中間部分28、28a の上面に当てがい、「割り熨斗」及び「台熨斗」である棒熨斗瓦７、7a…は、当接面12を下方部分29、29a の外側面に当接させ、下方角部の係止段部20を突条19、19a …の角部に係合し、固定突部10の釘穴11、11a を貫通させた釘、ビス等の固定具26を熨斗瓦固定材21、21a に打ち込んで、該熨斗瓦固定材21、21a に対し棒熨斗瓦７、7a…が固定されている。
【００２６】
次に、本発明に係る棟構造の構築工法については、棟金具22及び棟木23の設置工程、下地ボックス用固定材１の設置工程、面戸板14の設置工程、下地ボックス５の設置工程、棒熨斗瓦７、7a…及び冠瓦13の設置作業の順で行われ、特に下地ボックス５の設置工程時に下地ボックス用固定材１の位置が若干ずれていたとしても、下地ボックス５（熨斗瓦固定材21、21a ）を設置する際に、該下地ボックス５（熨斗瓦固定材21、21a ）における側壁部位６、6aの内側面に、下地ボックス用固定材１における立上げ部材３の外側面４が接触状態のまま立上げ部材３が傾倒し、設置後には傾倒した立上げ部材３により側壁部位６、6aの下端部を外方に押圧することで、該側壁部位６、6aの下端部が保持されて、屋根下地Ｗ側に下地ボックス５が一体化される。
【符号の説明】
【００２７】
１          下地ボックス固定材
２          固定部材
３          立上げ部材
４          外側面
５          下地ボックス
６、6a      側壁部位
７、7a…    棒熨斗瓦
13          冠瓦
14          面戸板
19、19a …  突条
20          係止段部
21、21a     熨斗瓦固定材
22          棟金具
23          棟木
Ａ          桟瓦
Ｗ          屋根下地
【図１】
2014084652.tif 000003
【図２】
2014084652.tif 000004
【図３】
2014084652.tif 000005
【図４（ａ）】
2014084652.tif 000006
【図４（ｂ）】
2014084652.tif 000007
【図４（ｃ）】
2014084652.tif 000008
【図５】
2014084652.tif 000009
【図６】
2014084652.tif 000010
【図７（ａ）】
2014084652.tif 000011
【図７（ｂ）】
2014084652.tif 000012